【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
電磁波の照射より硬化する液体状の原料を充填した容器と、
前記容器内の原料の表面に、基板を載置する載置部と、
原料に載置された基板を通して、電磁波を照射する照射部と、
前記基板を、少なくとも一部が硬化した原料とともに、前記容器から搬出する搬出部と、
を有することを特徴とする記録媒体製造装置。
【請求項２】
前記搬出部により搬出された基板を、他の基板と貼り合せる貼合部を有することを特徴とする請求項１記載の記録媒体製造装置。
【請求項３】
電磁波の照射により硬化する液体状の原料を充填した容器と、
前記容器内の原料の一部が、平板状に硬化した層となるように、電磁波を照射する照射部と、
前記層を前記容器から搬出する搬出部と、
前記層を一対の基板で挟むように貼り合せる貼合部と、
を有することを特徴とする記録媒体製造装置。
【請求項４】
少なくとも２つ以上の電磁波のビームの交点の位置で、硬化位置及び深さが制御されるように、少なくとも２つ以上の照射部の照射角度が変更可能に設けられていることを特徴とする請求項１〜３のいずれか１項に記載の記録媒体製造装置。
【請求項５】
電磁波を反射する反射板が、前記容器内に昇降可能に設けられていることを特徴とする請求項１〜４のいずれか１項に記載の記録媒体製造装置。
【請求項６】
前記反射板の表面には、原料との接着性が小さい材料が用いられていることを特徴とする請求項５記載の記録媒体製造装置。
【請求項７】
容器内に、電磁波の照射により硬化する液体状の原料を充填し、
前記容器内の原料の表面に、基板を載置し、
原料に載置された基板を通して電磁波を照射し、
前記基板を、少なくとも一部が硬化した原料とともに、前記容器から搬出することを特徴とする記録媒体製造方法。
【請求項８】
容器内に、電磁波の照射により硬化する液体状の原料を充填し、
前記原料の一部が、平板状に硬化した層となるように、電磁波を照射し、
前記層を前記容器から搬出し、
前記層を一対の基板で挟むように貼り合せることを特徴とする記録媒体製造方法。
【請求項９】
少なくとも２つ以上の電磁波のビームを交差させ、交点の位置で硬化位置と深さを制御することを特徴とする請求項７又は請求項８記載の記録媒体製造方法。
【手続補正２】
【補正対象書類名】明細書
【補正対象項目名】発明の名称
【補正方法】変更
【補正の内容】
【発明の名称】記録媒体製造装置及び記録媒体製造方法
【手続補正３】
【補正対象書類名】明細書
【補正対象項目名】０００１
【補正方法】変更
【補正の内容】
【０００１】
本発明は、例えば、光ディスクのような一対の基板を貼り合せた平板状記録媒体を製造するために、基板表面に形成する層の製造技術に改良を施した記録媒体製造装置及び記録媒体製造方法に関する。
【手続補正４】
【補正対象書類名】明細書
【補正対象項目名】００１０
【補正方法】変更
【補正の内容】
【００１０】
本発明は、上記のような従来技術の問題点を解決するために提案されたものであり、その目的は、簡単な機構と単純な作業で、均一な厚膜の層を有する記録媒体を製造できる記録媒体製造装置及び記録媒体製造方法を提供することにある。
【手続補正５】
【補正対象書類名】明細書
【補正対象項目名】００１１
【補正方法】変更
【補正の内容】
【００１１】
上記のような目的を達成するため、請求項１の発明である記録媒体製造装置は、電磁波の照射より硬化する液体状の原料を充填した容器と、前記容器内の原料の表面に、基板を載置する載置部と、原料に載置された基板を通して、電磁波を照射する照射部と、前記基板を、少なくとも一部が硬化した原料とともに、前記容器から搬出する搬出部と、を有することを特徴とする。
【手続補正６】
【補正対象書類名】明細書
【補正対象項目名】００１２
【補正方法】変更
【補正の内容】
【００１２】
また、請求項７の発明である記録媒体製造方法は、容器内に、電磁波の照射により硬化する液体状の原料を充填し、前記容器内の原料の表面に、基板を載置し、原料に載置された基板を通して電磁波を照射し、前記基板を、少なくとも一部が硬化した原料とともに、前記容器から搬出することを特徴とする。
【手続補正７】
【補正対象書類名】明細書
【補正対象項目名】００１４
【補正方法】変更
【補正の内容】
【００１４】
請求項２の発明は、請求項１の記録媒体製造装置において、前記搬出部により搬出された基板を、他の基板と貼り合せる貼合部を有することを特徴とする。
【手続補正８】
【補正対象書類名】明細書
【補正対象項目名】００１６
【補正方法】変更
【補正の内容】
【００１６】
請求項３の発明である記録媒体製造装置は、電磁波の照射により硬化する液体状の原料を充填した容器と、前記容器内の原料の一部が、平板状に硬化した層となるように、電磁波を照射する照射部と、前記層を前記容器から搬出する搬出部と、前記層を一対の基板で挟むように貼り合せる貼合部と、を有することを特徴とする。
【手続補正９】
【補正対象書類名】明細書
【補正対象項目名】００１７
【補正方法】変更
【補正の内容】
【００１７】
請求項８の発明である記録媒体製造方法は、容器内に、電磁波の照射により硬化する液体状の原料を充填し、前記原料の一部が、平板状に硬化した層となるように、電磁波を照射し、前記層を前記容器から搬出し、前記層を一対の基板で挟むように貼り合せることを特徴とする。
【手続補正１０】
【補正対象書類名】明細書
【補正対象項目名】００１９
【補正方法】変更
【補正の内容】
【００１９】
請求項４の発明は、請求項１〜３のいずれか１項の記録媒体製造装置において、少なくとも２つ以上の電磁波のビームの交点の位置で、硬化位置及び深さが制御されるように、少なくとも２つ以上の照射部の照射角度が変更可能に設けられていることを特徴とする。
【手続補正１１】
【補正対象書類名】明細書
【補正対象項目名】００２０
【補正方法】変更
【補正の内容】
【００２０】
請求項９の発明は、請求項７又は請求項８の記録媒体製造方法において、少なくとも２つ以上の電磁波のビームを交差させ、交点の位置で硬化位置と深さを制御することを特徴とする。
【手続補正１２】
【補正対象書類名】明細書
【補正対象項目名】００２２
【補正方法】変更
【補正の内容】
【００２２】
請求項５の発明は、請求項１〜４のいずれか１項の記録媒体製造装置において、電磁波を反射する反射板が、前記容器内に昇降可能に設けられていることを特徴とする。
【手続補正１３】
【補正対象書類名】明細書
【補正対象項目名】００２４
【補正方法】変更
【補正の内容】
【００２４】
請求項６の発明は、請求項５の記録媒体製造装置において、前記反射板の表面には、原料との接着性が小さい材料が用いられていることを特徴とする。
【手続補正１４】
【補正対象書類名】明細書
【補正対象項目名】００２６
【補正方法】変更
【補正の内容】
【００２６】
以上、説明したように、本発明によれば、簡単な機構と単純な作業で、均一な厚膜の層を有する基板を製造可能な記録媒体製造装置及び記録媒体製造方法を提供することができる。
【手続補正１５】
【補正対象書類名】明細書
【補正対象項目名】００５２
【補正方法】変更
【補正の内容】
【００５２】
基板についても、その大きさ、形状、材質等は自由であり、将来において採用されるあらゆるものに適用可能である。従って、ＢＤ（Ｂｌｕ−ｒａｙ  Ｄｉｓｃ）やＨＶＤ（Ｈｏｌｏｇｒａｐｈｉｃ  Ｖｅｒｓａｔｉｌｅ  Ｄｉｓｃ）を初めとするあらゆる規格の記録媒体用のディスクに適用可能である。請求項に記載の「基板」は、円盤状等には限定されず、平面状の製品を広く含む概念である。